(57)【要約】【課題】  弁座部材のシール面と弁部材との間に異物を噛み込んでも蒸気を漏出することのない熱応動式スチームトラップを提供する。【解決手段】  下ケーシング２の内周壁と温度制御機素９の外周との間を密封するシール部材としてのガスケット１６を設け、温度制御機素９に壁部材１０とダイヤフラム部材１１と弁部材１３を貫通して流体通過孔１４を形成し、弁部材１３の弁座部材７への着座時に流体通過孔１４を閉止するシール面１８を弁座部材７に形成し、膨脹媒体１２の膨張収縮温度よりも高温で飽和温度よりも低温の所定高温で変形して所定高温よりも低温のときに流体通過孔１４を開き所定高温よりも高温のときに流体通過孔１４を閉じる温度応動部材としてのバイメタル１５を設ける。【選択図】      図１
2011064228.tif 000002
【特許請求の範囲】
【請求項１】
入口と弁室と出口を形成した弁ケーシングと、弁室と出口を連通する導出路を形成した弁座部材と、壁部材とダイヤフラム部材の間に膨脹媒体を封入しダイヤフラム部材に弁部材を取り付けた温度制御機素を具備し、弁座部材を弁室と出口の間に取り付け、弁部材を弁座部材に対面させて温度制御機素を弁室に取り付け、膨脹媒体の膨脹収縮によるダイヤフラム部材の変位によって弁部材を弁座部材に離着座せしめるものであって、弁ケーシングの内周壁と温度制御機素の外周との間を密封するシール部材を設け、温度制御機素に壁部材とダイヤフラム部材と弁部材を貫通して流体通過孔を形成し、弁部材の弁座部材への着座時に流体通過孔を閉止するシール面を弁座部材に形成したものにおいて、膨脹媒体の膨張収縮温度よりも高温で飽和温度よりも低温の所定高温で変形して所定高温よりも低温のときに流体通過孔を開き所定高温よりも高温のときに流体通過孔を閉じる温度応動部材を設けたことを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、蒸気と復水で加熱冷却されその温度に応じて膨脹収縮する媒体を含む温度制御機素を用いて、所定温度以下の復水を系外へ排出する熱応動式スチームトラップに関する。
【背景技術】
【０００２】
従来の熱応動式スチームトラップは、例えば特許文献１に開示されている。これは、入口と弁室と出口を形成した弁ケーシングと、弁室と出口を連通する導出路を形成した弁座部材と、壁部材とダイヤフラムの間に膨脹媒体を封入しダイヤフラム部材に弁部材を取り付けた温度制御機素を具備し、弁座部材を弁室と出口の間に取り付け、弁部材を弁座部材に対面させて温度制御機素を弁室に取り付け、膨脹媒体の膨脹収縮によるダイヤフラム部材の変位によって弁部材を弁座部材に離着座せしめるものにおいて、弁ケーシングの内周壁と温度制御機素の外周との間を密封するシール部材を設け、温度制御機素に壁部材とダイヤフラム部材と弁部材を貫通して流体通過孔を形成し、弁部材の弁座部材への着座時に流体通過孔を閉止するシール面を弁座部材に形成したものである。
【先行技術文献】
【特許文献】
【０００３】
【特許文献１】特開平９−００４７９０号公報
【発明の概要】
【発明が解決しようとする課題】
【０００４】
上記従来の熱応動式スチームトラップは、弁部材が離着座する弁座部材のシール面と弁部材との間に流体中のゴミやスケール等の異物を噛み込むと、弁部材の流体通過孔が完全シールされる全閉位置に弁部材が変位できず、蒸気を漏出してしまうという問題点があった。
【０００５】
したがって本発明が解決しようとする課題は、弁座部材のシール面と弁部材との間に異物を噛み込んでも蒸気を漏出することのない熱応動式スチームトラップを提供することである。
【課題を解決するための手段】
【０００６】
上記の課題を解決するために、本発明の熱応動式スチームトラップは、入口と弁室と出口を形成した弁ケーシングと、弁室と出口を連通する導出路を形成した弁座部材と、壁部材とダイヤフラム部材の間に膨脹媒体を封入しダイヤフラム部材に弁部材を取り付けた温度制御機素を具備し、弁座部材を弁室と出口の間に取り付け、弁部材を弁座部材に対面させて温度制御機素を弁室に取り付け、膨脹媒体の膨脹収縮によるダイヤフラム部材の変位によって弁部材を弁座部材に離着座せしめるものであって、弁ケーシングの内周壁と温度制御機素の外周との間を密封するシール部材を設け、温度制御機素に壁部材とダイヤフラム部材と弁部材を貫通して流体通過孔を形成し、弁部材の弁座部材への着座時に流体通過孔を閉止するシール面を弁座部材に形成したものにおいて、膨脹媒体の膨張収縮温度よりも高温で飽和温度よりも低温の所定高温で変形して所定高温よりも低温のときに流体通過孔を開き所定高温よりも高温のときに流体通過孔を閉じる温度応動部材を設けたことを特徴とするものである。
【発明の効果】
【０００７】
本発明によれば、膨脹媒体の膨張収縮温度よりも高温で飽和温度よりも低温の所定高温で変形して所定高温よりも低温のときに流体通過孔を開き所定高温よりも高温のときに流体通過孔を閉じる温度応動部材を設けたものであるので、弁座部材のシール面と弁部材との間に異物を噛み込んで排出すべきでない所定温度以上の復水を漏出し弁室内が膨脹媒体の膨張収縮温度よりも高温で飽和温度よりも低温の所定高温よりも高温になると、温度応動部材が流体通過孔を閉じることにより、所定高温よりも高温の復水及び蒸気の漏出を防止できるという効果を奏する。
【図面の簡単な説明】
【０００８】
【図１】本発明の実施の形態に係わる熱応動式スチームトラップの断面図である。
【発明を実施するための形態】
【０００９】
以下、本発明の実施の形態について、図１を参照して説明する。上ケーシング１と下ケーシング２とをねじ結合して、内部に弁室３を有する弁ケーシングを形成する。上ケーシング１には弁室３に連通する入口４を形成し、下ケーシング２には弁室３から連通する出口５を形成する。弁室３と出口５との間の隔壁６に、弁座部材７をねじ結合する。弁座部材７には弁室３と出口５を連通する複数個の導出路８を形成する。弁座部材７の上方に、温度制御機素９を配置する。
【００１０】
温度制御機素９は、壁部材１０とダイヤフラム部材１１と両部材１０，１１の間に封入した膨脹媒体１２とダイヤフラム部材１１の弁座部材７側に取り付けた弁部材１３とを具備し、壁部材１０とダイヤフラム部材１１と弁部材１３を貫通する流体通過孔１４を開けたものである。流体通過孔１４はダイヤフラム部材１１と弁部材１３を夫々の中央開口を並べて溶接し、また壁部材１１の中央開口の縁とダイヤフラム部材１１の中央開口の縁を溶接することにより形成する。膨脹媒体１２は、水より沸点の低い液体、或いはそれらの混合物で形成する。膨脹媒体１２の膨脹収縮によるダイヤフラム部材１１の変位により弁部材１３が弁座部材９に離着座して流体通過孔１４を開閉する。膨脹媒体１２の膨張収縮温度よりも高温で飽和温度よりも低温の所定高温で変形して所定高温よりも低温のときに流体通過孔１４を開き所定高温よりも高温のときに流体通過孔１４を閉じる温度応動部材としてのバイメタル１５を壁部材１０に取り付ける。
【００１１】
温度制御機素９は、弁部材１３を弁座部材７に対面して弁室３内に配置し、下ケーシング２の内周壁に形成した段部にシール手段としてのガスケット１６を介して載せ、スナップリング１７で保持する。ガスケット１６によって下ケーシング２の内周壁と温度制御機素９の外周との間を密封する。弁座部材７の上面に弁部材１３が着座したときに流体通過孔２０を閉止するシール面１８を形成する。
【００１２】
上記実施例の熱応動式スチームトラップの動作は下記の通りである。弁室３内の温度が所定温度よりも上昇すると膨脹媒体１２が膨脹する。膨脹媒体１２の膨脹によってダイヤフラム部材１１が下方に変位し、弁部材１３が弁座部材７に着座する。弁部材１３が弁座部材７に着座すると、弁座部材７のシール面１８が流体通過孔１４を閉止する。これにより所定温度以上の復水及び蒸気の漏出を防止する。流体通過孔１４が閉止されると、弁室３内が温度制御機素９を挟んで入口４側と出口５側に隔てられる。弁室３内の温度が所定温度よりも低下してくると、膨脹媒体１２が収縮してダイヤフラム１１が上方に変位するのであるが、弁室３の出口５側の圧力が出口５側圧力まで低下しているので、ダイヤフラム１１を上方に変位せしめる力が弱く、弁室３内温度が更に低下してからダイヤフラム１１が上方に変位して弁部材１３が弁座部材７から離座して流体通過孔１４を開口する。これにより所定温度よりも低温の復水を出口５から排出する。弁座部材７のシール面１８と弁部材１３との間に異物を噛み込んで排出すべきでない所定温度以上の復水を漏出し弁室３内が膨脹媒体１２の膨張収縮温度よりも高温で飽和温度よりも低温の所定高温よりも高温になると、バイメタル１５が流体通過孔１４を閉じることにより、所定高温よりも高温の復水及び蒸気の漏出を防止する。
【産業上の利用可能性】
【００１３】
本発明は、膨脹媒体を含む温度制御機素を用いて各種蒸気使用機器や蒸気配管で発生する所定温度以下の復水を系外へ排出する熱応動式スチームトラップに利用することができる。
【符号の説明】
【００１４】
１  上ケーシング
２  下ケーシング
３  弁室
４  入口
５  出口
７  弁座部材
８  導出路
９  温度制御機素
１０  壁部材
１１  ダイヤフラム
１２  膨脹媒体
１３  弁部材
１４  流体通過孔
１５  バイメタル
１６  ガスケット
１８  弁座部材のシール面
【図１】
2011064228.tif 000003